(57)【要約】【課題】特殊な画像信号をより適切に表示するためのユーザーによる設定作業を従来より簡単に行えるようにする表示装置等を提供すること。【解決手段】プロジェクタ１００が、ユーザー設定情報を入力する入力部１１０と、画像信号の種別を判定するとともに、前記種別と、前記ユーザー設定情報とに基づき、表示用の設定を示す設定データ１４１を記憶部１４０に記憶する判定部１３０と、前記画像信号と、設定データ１４１とに基づいて画像を生成する画像処理部１５０と、前記画像を表示する投写部１６０とを含んで構成され、画像処理部１５０が、判定部１３０によって前記種別を判定できない画像信号が入力されたと判定された場合、ユーザーに設定データ１４１の更新を促すユーザー設定画像を生成される。【選択図】図１
2007140180.tif 000002
【特許請求の範囲】
【請求項１】
入力部と、
画像信号の種別を判定するとともに、前記種別に基づき、表示用の設定を示す設定データを記憶部に記憶する判定部と、
前記画像信号と、前記設定データとに基づいて画像を生成する画像処理部と、
前記画像を表示する表示部と、
を含む表示装置であって、
前記画像処理部は、前記判定部によって前記種別を判定できない画像信号が入力されたと判定された場合、ユーザーに前記設定データの更新を促すユーザー設定画像を生成し、
前記表示部は、前記ユーザー設定画像を表示し、
前記入力部は、前記ユーザー設定画像におけるユーザー設定情報を入力し、
前記判定部は、前記ユーザー設定情報に基づき、前記設定データを更新することを特徴とする表示装置。
【請求項２】
請求項１に記載の表示装置において、
前記画像信号に基づき、同期タイプ、水平同期信号極性、垂直同期信号極性、水平周波数、垂直周波数、走査線数のうちの少なくとも１つを計測する計測部を含み、
前記判定部は、前記計測部の計測値に基づき、前記画像信号の種別を判定することを特徴とする表示装置。
【請求項３】
請求項２に記載の表示装置において、
前記画像処理部は、前記計測値を示唆する画像を含む前記ユーザー設定画像を生成することを特徴とする表示装置。
【請求項４】
ユーザーの設定指示情報を入力する入力部と、
前記設定指示情報が入力されたかどうかを判定するとともに、表示用の設定を示す設定データを記憶部に記憶する判定部と、
画像信号と、前記設定データとに基づいて画像を生成する画像処理部と、
前記画像を表示する表示部と、
前記画像信号に基づき、同期タイプ、同期信号極性、周波数、走査線数のうちの少なくとも１つを計測する計測部と、
を含む表示装置であって、
前記画像処理部は、前記判定部によって前記設定指示情報が入力されたと判定された場合、前記計測部の計測値を示す画像を含み、ユーザーに前記設定データの更新を促すユーザー設定画像を生成し、
前記表示部は、前記ユーザー設定画像を表示し、
前記入力部は、前記ユーザー設定画像におけるユーザー設定情報を入力し、
前記判定部は、前記ユーザー設定情報に基づき、前記設定データを更新することを特徴とする表示装置。
【請求項５】
請求項３、４のいずれかに記載の表示装置において、
前記計測値に基づき、問い合わせを示す問い合わせ情報を情報提供装置へ向け送信する通信部を含み、
前記通信部は、前記情報提供装置からの前記問い合わせに対する回答を示す回答情報を受信し、
前記画像処理部は、前記回答を示す画像を含む前記ユーザー設定画像を生成することを特徴とする表示装置。
【請求項６】
請求項１〜５のいずれかに記載の表示装置において、
前記画像処理部は、前記判定部によって前記画像信号の種別として複数の候補が該当すると判定された場合、ユーザーに前記複数の候補から１つの候補を選択させるための選択画像を前記ユーザー設定画像として生成し、
前記表示部は、前記選択画像を表示し、
前記入力部は、前記選択画像におけるユーザーによる選択情報を入力し、
前記判定部は、前記選択情報に基づき、前記設定データを更新することを特徴とする表示装置。
【請求項７】
請求項６に記載の表示装置において、
前記選択画像は、前記候補ごとの画像の解像度を示す画像を含むことを特徴とする表示装置。
【請求項８】
入力部と、
画像信号の種別を判定するとともに、前記種別に基づき、表示用の設定を示す設定データを記憶部に記憶する判定部と、
前記画像信号と、前記設定データとに基づいて画像を生成する画像処理部と、
前記画像を表示部に表示させる表示制御部としてコンピュータを機能させるためのプログラムであって、
前記画像処理部は、前記判定部によって前記種別を判定できない画像信号が入力されたと判定された場合、ユーザーに前記設定データの更新を促すユーザー設定画像を生成し、
前記表示制御部は、前記ユーザー設定画像を前記表示部に表示させ、
前記入力部は、前記ユーザー設定画像におけるユーザー設定情報を入力し、
前記判定部は、前記ユーザー設定情報に基づき、前記設定データを更新することを特徴とするプログラム。
【請求項９】
ユーザーの設定指示情報を入力する入力部と、
前記設定指示情報が入力されたかどうかを判定するとともに、表示用の設定を示す設定データを記憶部に記憶する判定部と、
画像信号と、前記設定データとに基づいて画像を生成する画像処理部と、
前記画像を表示部に表示させる表示制御部と、
前記画像信号に基づき、同期タイプ、同期信号極性、周波数、走査線数のうちの少なくとも１つを計測する計測部としてコンピュータを機能させるためのプログラムであって、
前記画像処理部は、前記判定部によって前記設定指示情報が入力されたと判定された場合、前記計測部の計測値を示す画像を含み、ユーザーに前記設定データの更新を促すユーザー設定画像を生成し、
前記表示制御部は、前記ユーザー設定画像を前記表示部に表示させ、
前記入力部は、前記ユーザー設定画像におけるユーザー設定情報を入力し、
前記判定部は、前記ユーザー設定情報に基づき、前記設定データを更新することを特徴とするプログラム。
【請求項１０】
請求項８、９のいずれかに記載のプログラムを記憶したコンピュータ読み取り可能な情報記憶媒体。
【発明の詳細な説明】
【技術分野】
【０００１】
本発明は、表示装置、プログラムおよび情報記憶媒体に関する。
【背景技術】
【０００２】
一般的に、表示装置は、種々の画像信号に対応しており、画像信号に応じて画像を表示する。
【０００３】
例えば、特許文献１には、初期化時等に、垂直同期信号および水平同期信号に基づいて画像モードの判定を行い、表示位置、映像信号のサンプリング位相等の制御データまたは画像モードを記憶装置に記憶し、２回目以降の制御データの演算を省略する映像表示装置が記載されている。
【特許文献１】特開２００１−２１５９３４号公報
【発明の開示】
【発明が解決しようとする課題】
【０００４】
しかし、特許文献1の制御データを記憶する処理手法は、副画像表示の処理速度を速くするための手法である。
【０００５】
すなわち、特許文献１のように、垂直同期信号等に基づいて画像モードの判定を行う手法の場合、判定不可能な画像信号が入力された場合は正しく画像を表示することができない。
【０００６】
また、このような特殊な画像信号を入力する場合に対応するため、ユーザーの設定に合わせて画像を表示する機能を有している表示装置も存在する。しかし、このような表示装置は、ユーザーの指示に応じて設定画像を表示するものであり、表示装置が特殊な画像信号が入力されたことを判定して設定画像を表示する構成とはなっていない。
【０００７】
また、従来の設定画像は、ユーザーがすべての項目を自分で入力する必要があり、ユーザーにとって設定作業は困難で、かつ、手間のかかる作業であった。
【０００８】
本発明の目的は、特殊な画像信号をより適切に表示するためのユーザーによる設定作業を従来より簡単に行えるようにする表示装置、プログラムおよび情報記憶媒体を提供することにある。
【課題を解決するための手段】
【０００９】
上記課題を解決するため、本発明に係る表示装置は、入力部と、
画像信号の種別を判定するとともに、前記種別に基づき、表示用の設定を示す設定データを記憶部に記憶する判定部と、
前記画像信号と、前記設定データとに基づいて画像を生成する画像処理部と、
前記画像を表示する表示部と、
を含む表示装置であって、
前記画像処理部は、前記判定部によって前記種別を判定できない画像信号が入力されたと判定された場合、ユーザーに前記設定データの更新を促すユーザー設定画像を生成し、
前記表示部は、前記ユーザー設定画像を表示し、
前記入力部は、前記ユーザー設定画像におけるユーザー設定情報を入力し、
前記判定部は、前記ユーザー設定情報に基づき、前記設定データを更新することを特徴とする。
【００１０】
また、本発明に係るプログラムは、入力部と、
画像信号の種別を判定するとともに、前記種別に基づき、表示用の設定を示す設定データを記憶部に記憶する判定部と、
前記画像信号と、前記設定データとに基づいて画像を生成する画像処理部と、
前記画像を表示部に表示させる表示制御部としてコンピュータを機能させるためのプログラムであって、
前記画像処理部は、前記判定部によって前記種別を判定できない画像信号が入力されたと判定された場合、ユーザーに前記設定データの更新を促すユーザー設定画像を生成し、
前記表示制御部は、前記ユーザー設定画像を前記表示部に表示させ、
前記入力部は、前記ユーザー設定画像におけるユーザー設定情報を入力し、
前記判定部は、前記ユーザー設定情報に基づき、前記設定データを更新することを特徴とする。
【００１１】
また、本発明に係る情報記憶媒体は、コンピュータ読み取り可能な情報記憶媒体であって、上記プログラムを記憶したことを特徴とする。
【００１２】
本発明によれば、表示装置等は、種別を判定できない画像信号が入力されたと判定された場合にユーザー設定画像を表示することにより、ユーザーによる設定作業を従来より簡単に行えるようにすることができる。
【００１３】
また、本発明に係る表示装置は、ユーザーの設定指示情報を入力する入力部と、
前記設定指示情報が入力されたかどうかを判定するとともに、表示用の設定を示す設定データを記憶部に記憶する判定部と、
画像信号と、前記設定データとに基づいて画像を生成する画像処理部と、
前記画像を表示する表示部と、
前記画像信号に基づき、同期タイプ、同期信号極性、周波数、走査線数のうちの少なくとも１つを計測する計測部と、
を含む表示装置であって、
前記画像処理部は、前記判定部によって前記設定指示情報が入力されたと判定された場合、前記計測部の計測値を示す画像を含み、ユーザーに前記設定データの更新を促すユーザー設定画像を生成し、
前記表示部は、前記ユーザー設定画像を表示し、
前記入力部は、前記ユーザー設定画像におけるユーザー設定情報を入力し、
前記判定部は、前記ユーザー設定情報に基づき、前記設定データを更新することを特徴とする。
【００１４】
また、本発明に係るプログラムは、ユーザーの設定指示情報を入力する入力部と、
前記設定指示情報が入力されたかどうかを判定するとともに、表示用の設定を示す設定データを記憶部に記憶する判定部と、
画像信号と、前記設定データとに基づいて画像を生成する画像処理部と、
前記画像を表示部に表示させる表示制御部と、
前記画像信号に基づき、同期タイプ、同期信号極性、周波数、走査線数のうちの少なくとも１つを計測する計測部としてコンピュータを機能させるためのプログラムであって、
前記画像処理部は、前記判定部によって前記設定指示情報が入力されたと判定された場合、前記計測部の計測値を示す画像を含み、ユーザーに前記設定データの更新を促すユーザー設定画像を生成し、
前記表示制御部は、前記ユーザー設定画像を前記表示部に表示させ、
前記入力部は、前記ユーザー設定画像におけるユーザー設定情報を入力し、
前記判定部は、前記ユーザー設定情報に基づき、前記設定データを更新することを特徴とする。
【００１５】
また、本発明に係る情報記憶媒体は、コンピュータ読み取り可能な情報記憶媒体であって、上記プログラムを記憶したことを特徴とする。
【００１６】
本発明によれば、表示装置等は、計測値を示す画像を含むユーザー設定画像を表示することにより、ユーザーによる設定作業を従来より簡単に行えるようにすることができる。
【００１７】
また、前記画像信号に基づき、同期タイプ、水平同期信号極性、垂直同期信号極性、水平周波数、垂直周波数、走査線数のうちの少なくとも１つを計測する計測部を含み、
前記判定部は、前記計測部の計測値に基づき、前記画像信号の種別を判定してもよい。
【００１８】
これによれば、表示装置等は、計測部を内蔵しているため、ユーザーは、外部の計測器で画像信号を計測して計測値を入力する必要がなくなるため、ユーザーによる設定作業を従来より簡単に行えるようにすることができる。
【００１９】
また、前記画像処理部は、前記計測値を示唆する画像を含む前記ユーザー設定画像を生成してもよい。
【００２０】
これによれば、ユーザーは、計測値を確認しながら選択したり、設定値を入力したりすることができるため、設定作業を従来より簡単に行うことができる。
【００２１】
また、前記表示装置は、前記計測値に基づき、情報提供装置に問い合わせを示す問い合わせ情報を送信する通信部を含み、
前記通信部は、前記情報提供装置からの前記問い合わせに対する回答を示す回答情報を受信し、
前記画像処理部は、前記回答を示す画像を含む前記ユーザー設定画像を生成してもよい。
【００２２】
また、前記プログラムおよび前記情報記憶媒体は、前記コンピュータの有する通信部に、前記計測値に基づき、問い合わせを示す問い合わせ情報を情報提供装置へ向け送信させる通信制御部として前記コンピュータを機能させ、
前記通信制御部は、前記情報提供装置からの前記問い合わせに対する回答を示す回答情報を前記通信部に受信させ、
前記画像処理部は、前記回答を示す画像を含む前記ユーザー設定画像を生成してもよい。
【００２３】
これによれば、ユーザーは、計測値と回答を確認しながら設定値を入力することができるため、設定作業を従来より簡単に行うことができる。
【００２４】
また、前記画像処理部は、前記判定部によって前記画像信号の種別として複数の候補が該当すると判定された場合、ユーザーに前記複数の候補から１つの候補を選択させるための選択画像を前記ユーザー設定画像として生成し、
前記表示部は、前記選択画像を表示し、
前記入力部は、前記選択画像におけるユーザーによる選択情報を入力し、
前記判定部は、前記選択情報に基づき、前記設定データを更新してもよい。
【００２５】
これによれば、表示装置等は、種別を１つに特定できない画像信号が入力されたと判定された場合に選択画像を表示することにより、ユーザーによる設定作業を従来より簡単に行えるようにすることができる。
【００２６】
また、前記選択画像は、前記候補ごとの画像の解像度を示す画像を含んでもよい。
【００２７】
これによれば、表示装置等は、ユーザーに解像度を判断基準として候補を選択させることができる。
【発明を実施するための最良の形態】
【００２８】
以下、本発明をプロジェクタに適用した場合を例に採り、図面を参照しつつ説明する。なお、以下に示す実施例は、特許請求の範囲に記載された発明の内容を何ら限定するものではない。また、以下の実施例に示す構成の全てが、特許請求の範囲に記載された発明の解決手段として必須であるとは限らない。
【００２９】
本実施例における表示装置の一種であるプロジェクタは、種別の判定不能な画像信号または１つの種別に特定することが困難な画像信号が入力された場合にユーザー設定画像等を表示し、ユーザーに画像を調整させることにより、画像を適切に表示する機能を有する。
【００３０】
図１は、本実施例におけるプロジェクタ１００の機能ブロック図である。
【００３１】
プロジェクタ１００は、画像信号、ユーザー設定情報等を入力する入力部１１０と、画像信号の水平周波数等を計測する計測部１２０と、計測部１２０の計測値に基づいて画像信号の種別を判定するとともに、上記種別に基づき、設定データ１４１を記憶部１４０に記憶する判定部１３０と、記憶部１４０と、画像信号および設定データ１４１に基づいて画像を生成する画像処理部１５０と、画像を表示する投写部１６０（表示部）と、通信部１７０とを含んで構成されている。
【００３２】
また、記憶部１４０は、表示用の設定を示す設定データ１４１、画像信号の種別を特定するためのパターンデータ１４２、属性が類似している画像信号を示す類似判定データ１４３、ユーザー設定画像等の種々の画像を表示するためのメニューデータ１４４、ユーザー設定を示すユーザー設定データ１４５等を記憶している。
【００３３】
また、プロジェクタ１００は、外部装置２００とケーブルで接続されており、外部装置２００から画像信号を入力する。なお、外部装置２００としては、具体的には、例えば、ＤＶＤプレーヤー、セットトップボックス、ビデオ再生装置、ＰＣ、ゲーム装置、パターンジェネレーター等が該当する。
【００３４】
また、判定部１３０等の機能をコンピュータに実装するためのハードウェアとしては、例えば、入力部１１０は、入出力端子、入出力ポート、赤外光受光部等、計測部１２０は、オシロスコープ、周波数計測用ＩＣ等、判定部１３０は、ＣＰＵ等、記憶部１４０は、ＲＡＭ、フラッシュＲＯＭ、ＨＤＤ等、画像処理部１５０は、ＣＰＵ、画像処理回路等、投写部１６０は、光源、空間光変調器、ドライバ、レンズ等、通信部１７０は、通信モジュール等を用いて実装することができる。
【００３５】
また、判定部１３０等としてコンピュータを機能させるためのプログラムを記憶した情報記憶媒体３００からプログラムを読み取って判定部１３０等の機能をコンピュータに実装してもよい。
【００３６】
このような情報記憶媒体３００としては、例えば、ＣＤ−ＲＯＭ、ＤＶＤ−ＲＯＭ、ＲＯＭ、ＲＡＭ、ＨＤＤ等を適用でき、そのプログラムの読み取り方式は接触方式であっても、非接触方式であってもよい。
【００３７】
また、情報記憶媒体３００に代えて、上述した各機能を実装するためのプログラム等を、伝送路を介してホスト装置等からダウンロードすることによって上述した各機能を実装することも可能である。
【００３８】
次に、これらの各部を用いた画像調整処理の流れについて説明する。
【００３９】
図２は、本実施例における画像調整処理の流れを示すフローチャートである。
【００４０】
入力部１１０は、外部装置２００から画像信号を入力する（ステップＳ１）。なお、画像信号は、例えば、映像信号と同期信号を含む。
【００４１】
計測部１２０は、画像信号に基づき、同期タイプ、極性（水平同期信号極性および垂直同期信号極性）、周波数（水平周波数および垂直周波数）および走査線数を計測する（ステップＳ２）。なお、同期タイプは、セパレートシンク(垂直同期信号と水平同期信号がそれぞれ専用の信号線で与えられるタイプ)、コンポジットシンク(垂直同期信号と水平同期信号が同一の専用信号線で与えられるタイプ)、シンクオングリーン(垂直同期信号と水平同期信号が同一の信号線で与えられ、その信号は輝度信号を伝送する信号線に同居しているタイプ)等の画像信号の同期に関する設定を示す。また、極性は正、負のいずれかを示す。
【００４２】
判定部１３０は、計測部１２０による計測値に基づき、パターンデータ１４２を参照して画像信号を１つの種別に決定できるかどうかを判定する（ステップＳ３）。
【００４３】
判定部１３０は、１つに決定できた場合、決定した種別に応じて画像調整用の設定データ１４１を更新する（ステップＳ４）。
【００４４】
一方、１つに決定できない場合、判定部１３０は、類似判定データ１４３を参照して画像信号の種別として複数の候補が該当するかどうかを判定する（ステップＳ５）。
【００４５】
図３は、本実施例における類似判定データ１４３の具体例を示す図である。なお、パターンデータ１４２も類似判定データ１４３と同様の構造である。
【００４６】
例えば、信号Ａと信号Ｂ、信号Ｃと信号Ｄ、信号Ｅと信号Ｆのように、同期タイプ、極性、周波数、走査線数のすべてが一致する信号が存在する。このような場合、判定部１３０は、解像度が特定されれば信号の種別を１つに決定することができる。
【００４７】
複数の候補が該当する場合、画像処理部１５０は、判定部１３０の判定結果と、設定データ１４１と、類似判定データ１４３と、メニューデータ１４４に基づき、選択画像を生成し、投写部１６０は、選択画像を表示する（ステップＳ６）。
【００４８】
図４は、本実施例におけるユーザー設定画像４００の一例を示す図である。
【００４９】
図４におけるユーザー設定画像４００は、画像信号の種別を示す複数の候補から１つの候補を選択するための選択画像である。例えば、ユーザー設定画像４００は、信号Ａと信号Ｂ（複数の候補）の両方の解像度を示す画像（「640*400」等）と、信号Ａと信号Ｂのいずれか一方の解像度を選択させるための画像と（選択ボタン等）、選択した設定で画像を表示するための画像（表示ボタン等）を含む。
【００５０】
一方、複数の候補がない場合、画像処理部１５０は、判定部１３０の判定結果と、設定データ１４１と、メニューデータ１４４に基づき、ユーザー設定画像を生成し、投写部１６０は、ユーザー設定画像を表示する（ステップＳ７）。
【００５１】
図５は、本実施例におけるユーザー設定画像４０１の他の一例を示す図である。
【００５２】
ユーザー設定画像４０１は、種々のパラメーターをユーザーが設定するための画像である。このパラメーターとしては、例えば、Ｘ（水平）方向の解像度を示す「取り込み解像度Ｘ」、Ｙ（垂直）方向の解像度を示す「取り込み解像度Ｙ」、Ｘ（水平）方向の入力画像の開始位置を示す「取り込み開始位置Ｘ」、Ｙ（垂直）方向の入力画像の開始位置を示す「取り込み解像度Ｙ」、「トラッキング」、「クランプ位置」、「クランプ幅」、「ハーフサンプリング」等が該当する。
【００５３】
また、本実施例では、図５に示すように、設定データ１４１に設定されているパラメーター値がユーザー設定画像４０１に表示される。これらのパラメーター値は、計測部１２０の計測値に基づく値であり、ユーザー設定画像４０１は、計測部１２０の計測値を示唆する画像を含む。
【００５４】
これにより、ユーザーは、自分が調整したいパラメーターのみを設定することができる。なお、ユーザー設定画像４０１にも表示ボタンが設けられている。
【００５５】
そして、入力部１１０は、ユーザー設定画像４００における選択情報またはユーザー設定画像４０１におけるユーザー設定情報を入力し、判定部１３０は、入力に基づき、設定データ１４１を更新する（ステップＳ８）。
【００５６】
そして、画像処理部１５０は、設定データ１４１に基づき画像を生成し、投写部１６０は当該画像を表示する（ステップＳ９）。
【００５７】
以上のように、本実施例によれば、プロジェクタ１００は、種別を判定できない画像信号が入力されたと判定された場合にユーザー設定画像４００、４０１を表示することにより、ユーザーは、ユーザー設定画像４００、４０１の表示指示を行う必要がなく、設定作業を従来より簡単に行うことができる。
【００５８】
また、プロジェクタ１００は、種別を１つに特定できない画像信号が入力されたと判定された場合にユーザー設定画像４００（選択画像）を表示することにより、ユーザーによる設定作業を従来より簡単に行えるようにすることができる。
【００５９】
また、プロジェクタ１００は、ユーザー設定画像４００として、候補ごとの解像度を示す画像を表示することにより、ユーザーに解像度を判断基準として１つの候補を選択させることができる。特に、解像度は、ユーザーにとって視覚的にわかりやすいものであるため、ユーザーは、容易に１つの候補を選択することができる。
【００６０】
また、プロジェクタ１００は、計測部１２０を内蔵しているため、ユーザーは、外部の計測器で画像信号を計測して計測値を入力する必要がなくなるため、ユーザーによる設定作業を従来より簡単に行えるようにすることができる。
【００６１】
また、プロジェクタ１００は、図５に示すように計測値を示唆する画像をユーザー設定画像４０１に含めて表示することにより、ユーザーは、計測値を確認しながら設定値を入力することができるため、設定作業を従来より簡単に行うことができる。
【００６２】
さらに、プロジェクタ１００は、出荷時の設定のままでは適切に表示できない画像であっても、適切な表示になるようにユーザーに設定を行わせることにより、画像を適切に表示することができる。
【００６３】
なお、本発明の適用は上述した実施例に限定されず、種々の変形が可能である。
【００６４】
例えば、画像処理部１５０は、ユーザーの設定指示に応じて計測部１２０による計測値を示す画像を含むユーザー設定画像を生成してもよい。また、通信部１７０は、判定部１３０によって画像信号の種別を判定できない場合、情報提供装置に問い合わせを示す問い合わせ情報を送信するとともに、情報提供装置からの問い合わせに対する回答を示す回答情報を受信してもよい。この場合、画像処理部１５０は、当該回答を示す画像を含むユーザー設定画像を生成してもよい。
【００６５】
図６は、本実施例におけるユーザー設定画像４０２の他の一例を示す図である。
【００６６】
ユーザーは、例えば、画像の表示が適切でないと判断した場合、リモコン等を用いてプロジェクタ１００に設定指示情報を入力する。入力部１１０は、当該設定指示情報を入力し、判定部１３０は、設定指示情報が入力されたかどうかを判定する。
【００６７】
画像処理部１５０は、設定指示情報が入力された場合、ユーザー設定画像４０２を生成する。図６に示すように、ユーザー設定画像４０２は、例えば、計測部１２０による計測値を示す画像と、情報提供装置からの回答を示す画像と、信号を選択するための画像と、表示指示を行うための画像を含む。
【００６８】
より具体的には、計測値を示す画像は、計測部１２０によって計測された、同期種別、水平極性、垂直極性、水平同期周波数、垂直同期周波数、走査線数を示す。
【００６９】
また、回答を示す画像は、例えば、「２０００年１月１日以降発売のモデルは信号Ｅとなっており、それ以外のモデルは信号Ｆとなっております。」といった信号を特定するための情報を含む。なお、情報提供装置は、例えば、計測部１２０による計測値と、回答文字列データとが対応付けられた回答テーブルを記憶しており、問い合わせ情報に基づき、回答テーブルを参照して回答情報を生成してプロジェクタ１００に送信する。
【００７０】
これによれば、プロジェクタ１００は、ユーザーの設定指示に応じてユーザー設定画像４０２を表示する場合であっても、計測値を示唆する画像をユーザーに提示することができるため、ユーザーは、当該計測値を確認しながら画像の表示を調整することができる。これにより、ユーザーは、従来よりも容易に画像の表示を調整することができる。
【００７１】
また、これによれば、プロジェクタ１００は、パターンデータ１４２および類似判定データ１４３では特定できない信号を計測した場合であっても、情報提供装置に問い合わせて回答をユーザーに示すことができるため、ユーザーは、表示対象の信号をより簡単に決定することができる。
【００７２】
特に、図６に示す例のように、外部装置２００の製造年月によって信号の種別が微妙に異なる場合、プロジェクタ１００が信号の計測値から信号を特定することは困難であるが、ユーザーは外部装置２００の製造年月を確認することは容易であるため、プロジェクタ１００は、ユーザー設定情報に基づいて適切な決定を行うことができ、適切な画像を表示することができる。
【００７３】
また、ユーザーは、計測値と回答を確認しながら設定値を入力したり、信号を特定したりすることができるため、設定作業を従来より簡単に行うことができる。
【００７４】
なお、プロジェクタ１００は、計測値を示す画像を含まず、回答を示す画像を含むユーザー設定画像を表示してもよい。
【００７５】
また、判定部１３０は、ユーザー設定画像４０１で入力された値の組み合わせをユーザー設定データ１４５に複数種記憶してもよい。そして、判定部１３０は、ユーザーの選択に応じて選択したパターンに基づいて設定データ１４１を更新してもよい。
【００７６】
これによれば、ユーザーは、あらかじめ複数種のパターンを登録しておくことにより、一旦ユーザー設定画像４０１で入力を行った場合、再度入力を行うことなくプロジェクタ１００に適切な画像を表示させることができる。
【００７７】
また、このような場合、画像処理部１５０は、上記複数種のパターンを登録し、表示時にユーザーに所望のパターンを選択させるためのパターン設定画像を生成してもよい。
【００７８】
また、計測部１２０が計測する対象は、同期タイプ、水平極性、垂直極性、水平同期周波数、垂直同期周波数、走査線数、ＶＢＩ(垂直帰線消去期間、Vertical Blanking Interval)、ＨＢＩ(水平帰線消去期間、Horizontal Blanking Interval)に限定されず、これら以外の対象（例えば、インターレース、プログレッシブ等の表示方法、セパレート、コンポジット等の信号種別等）を計測してもよい。また、計測部１２０は、必ずしも同期タイプ、水平極性、垂直極性、水平同期周波数、垂直同期周波数、走査線数のすべてを計測しなくてもよい。
【００７９】
また、ユーザー設定画像は、ユーザー設定画像４０１に限定されない。例えば、ユーザー設定画像は、水平極性、垂直極性、水平同期周波数、垂直同期周波数、走査線数、ＶＢＩ、ＨＢＩ等をユーザーに設定させる画像であってもよい。
【００８０】
また、ユーザー設定画像は、ユーザー設定画像４０２に限定されない。例えば、ユーザー設定画像は、回答を示す画像を含まない画像であってもよく、計測値を示す画像を含まない画像であってもよい。
【００８１】
また、複数の候補が該当する場合、プロジェクタ１００は、ユーザー設定画像４００を表示しなくてもよい。例えば、複数の候補が該当する場合、計測部１２０は、ＶＢＩ、ＨＢＩを計測し、判定部１３０は、計測されたＶＢＩおよびＨＢＩに基づいて垂直解像度および水平解像度を判定して信号の種別を１つに決定し、設定データ１４１を更新してもよい。
【００８２】
この場合、計測部１２０は、まず、同期タイプ等の必須測定対象を計測し、種別を１つに決定できない場合にＶＢＩ等の任意測定対象を計測することにより、すべての測定対象を計測する場合と比べ、計測に必要になる時間を短縮することができる。
【００８３】
また、上述した実施例では、入力部１１０は、画像信号を入力する機能と、リモコン等からの設定情報等を入力する機能を有しているが、画像信号を入力する画像信号入力部と、設定情報等を入力する指示情報入力部とに分離されてもよい。
【００８４】
また、プロジェクタ１００としては、液晶プロジェクタ、ＤＭＤ(Digital Micromirror Device)を用いたプロジェクタ、ＣＲＴプロジェクタ等の種々のプロジェクタを採用可能である。なお、ＤＭＤは米国テキサスインスツルメンツ社の商標である。
【００８５】
また、表示装置は、プロジェクタ１００に限定されず、プロジェクションＴＶ、液晶ＴＶ、液晶ディスプレイ、携帯型ゲーム装置、携帯電話、ＰＤＡ等の種々の表示装置を採用可能である。
【００８６】
また、表示装置は、単体の装置には限定されず、表示装置の機能を複数の装置に分散してもよい。具体的には、例えば、表示装置の機能の一部をＰＣに実装し、他の機能を液晶ディスプレイに実装してもよい。
【図面の簡単な説明】
【００８７】
【図１】本実施例におけるプロジェクタの機能ブロック図である。
【図２】本実施例における画像調整処理の流れを示すフローチャートである。
【図３】本実施例における類似判定データの具体例を示す図である。
【図４】本実施例におけるユーザー設定画像の一例を示す図である。
【図５】本実施例におけるユーザー設定画像の他の一例を示す図である。
【図６】本実施例におけるユーザー設定画像の他の一例を示す図である。
【符号の説明】
【００８８】
１００  プロジェクタ（表示装置）、１１０  入力部、１２０  計測部、１３０  判定部、１４０  記憶部、１４１  設定データ、１４２  パターンデータ、１４３  類似判定データ、１４４  メニューデータ、１４５  ユーザー設定データ、１５０  画像処理部、１６０  投写部（表示部）、１７０  通信部、２００  外部装置、３００  情報記憶媒体、４００〜４０２  ユーザー設定画像
【図１】
2007140180.tif 000003
【図２】
2007140180.tif 000004
【図３】
2007140180.tif 000005
【図４】
2007140180.tif 000006
【図５】
2007140180.tif 000007
【図６】
2007140180.tif 000008